【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
長尺物の一つのパッケージを構成し、
共通する一つのパッケージ構成体（１０）は、複数個の平行して整列して配置した山（２０・２１・２２・２３）により構成されており、
共通する一つのパッケージ構成体（１０）の複数個の山（２０・２１・２２・２３）は、各折り畳み部分が、次の折り畳み部分に対して、長尺物を横切る方向の折り目（２５・２６）を介して、前後に折り畳まれた状態にし、この折り畳み部分の側縁（２７・２８）を整列させた長尺物（１１）により構成され、該長尺物は各々の山（２０・２１・２２・２３）を通して、連続的に一繋がりに構成され、
各山の長尺物のパッケージの構成物の両上端部と下端部において、それぞれの終端の接続部分（４４・４５）を接続の為に近接可能な状態に配置しており、
このような長尺物（１１）の、該共通のパッケージ構造体（１０）において、該複数の山（２０・２１・２２・２３）は、硬質の隔壁を介装することなく、各々の山の側縁（２７）と隣接する他の山の側縁（２８）を、直接的に向かい合わせて、横並びに並列して配置し、
このような長尺物（１１）において、一つのパッケージの山の上下端は、寄せ継ぎができるように近づけたことを特徴とする長尺物のパッケージ。
【請求項２】
次のような長尺物のパッケージの形成方法であって、
複数の長尺物（１１）を横並びに配列した状態にして長尺物材料として供給し、
該長尺物（１１）を前後に折り畳み、各折り畳み部分が、次の折り畳み部分に対して、長尺物を横切る方向の折り目（２５・２６）を介して折り畳まれた状態にするとともに、該畳み部分の側縁（２７・２８）を列状に並べて、一つの山となし、このような長尺物の山を複数個（２０・２１・２２・２３）を形成し、
各山の長尺物のパッケージの構成物の両上端部と下端部において、それぞれの終端の接続部分（４４・４５）を接続の為に近接可能な状態に配置しており、
各々の山（２０・２１・２２・２３）を通して、長尺物は一繋がりであるものとし、
該並べられた山（２０・２１・２２・２３）により形成された、一つのパッケージ（１０）において、山（２０・２１・２２・２３）は堅固な容器の壁を介装することなく、平行状に横並びに直接的に配置され、
該一つのパッケージを構成すべく並べて配置された山において、その各山の長尺物の該端部と、他の山の関連する山の端部を、端部同士の寄せ継ぎ部４６により接続することにより、これら相互に連結した複数の山によって、一繋がりの連続した長尺物を作成することを特徴とする長尺物のパッケージの形成方法。
【請求項３】
請求項２記載の長尺物のパッケージの形成方法において、
前記複数の山を略鉛直に積み上げた状態にして、底面（１５）及び上面（１４）と、該山の長尺物の側縁（２７・２８）に対して平行な二つの側面（１６・１７）と、該山の前記折り目（２５・２６）を配する二つの端面（１８・１９）とを備えたものとし、一山の底面（１５）における接続端部（４５）をそのすぐ隣の山の上面（１４）における接続端部（４４）に接続して、該山の一端面（１８）に沿って延伸する前記寄せ継ぎ部（４４・４５・５６）を形成することを特徴とする長尺物のパッケージの形成方法。
【請求項４】
請求項３記載の長尺物のパッケージの形成方法において、
少なくとも三つの山（２０・２１・２２）の前記寄せ継ぎ部（４４・４５・４６）を、該三山（２０・２１・２２）が、解かれる時にその長尺物に余分な捩れが生じないように構成することを特徴とする長尺物のパッケージの形成方法。
【請求項５】
請求項３記載の長尺物のパッケージの形成方法において、
少なくとも三つの山（２０・２１・２２）において、寄せ継ぎ部（４４・４５・４６）と一番上の畳み部分（３０）とにてなる長尺物の部分（４４・４５・４６・３０）に、３６０度の捩じり部（４７）を設け、該三山（２０・２１・２２）が解かれる時にその長尺物に余分な捩れが生じないようにすることを特徴とする長尺物のパッケージの形成方法。
【請求項６】
請求項３記載の長尺物のパッケージの形成方法において、
少なくとも三つの山（２０・２１・２２）において、該三山の対向する両端面（１８・１９）にて、寄せ継ぎ部を山毎に交互に振り分けて配置し、一山の一番下の畳み部分（２９）とその隣の山の一番上の畳み部分（３０）との間を、捩じりのない状態で、各寄せ継ぎ部（４４・４５・４６）にて接続し、該三山（２０・２１・２２）が解かれる時にその長尺物に余分な捩れが生じないようにすることを特徴とする長尺物のパッケージの形成方法。
【請求項７】
請求項３，４，５または６記載の長尺物のパッケージの形成方法において、
前記パッケージを、下向きに圧縮し、その前記複数の山（２０・２１・２２・２３）の高さを、未圧縮時の高さから圧縮時の高さまで縮小するものであって、該パッケージは、梱包部材（４０）に収納して圧縮状態に保持しており、各寄せ継ぎ部（４４・４５・４６）の長さは、未圧縮時の高さ分よりも短く、圧縮時の高さ分に略等しくして、該パッケージが該未圧縮時の高さまで膨張する時、各寄せ継ぎ部の長さを未圧縮時の高さ分まで増大させるのに必要な長さ分だけ、山の一番上から二番目までの長尺物の畳み部分（３０）が（３０Ａ・３０Ｂのように）引き出されるようにすることを特徴とする長尺物のパッケージの形成方法。
【請求項８】
請求項３，４，５または６記載の長尺物のパッケージの形成方法において、
前記パッケージを下向きに圧縮し、その高さを、未圧縮時の高さから圧縮時の高さまで縮小するものであって、各寄せ継ぎ部（４４・４５・４６）の長さは少なくとも未圧縮時の高さ分に等しくし、該寄せ継ぎ部を、長尺物の長手方向に対して略横切る向きの折り目（５４）で折り返して、該寄せ継ぎ部の長さと該圧縮時の高さ分との差を補償するようにすることを特徴とする長尺物のパッケージの形成方法。
【請求項９】
請求項７または８記載の長尺物のパッケージの形成方法において、
長尺物の二つの畳み部分（３０・３０Ｄ）の間にスリップシート（３０Ｃ）を介装して、パッケージが膨張する際に、該二つの畳み部分が該パッケージの残りの部分に対して相対的に摺動できるようにすることを特徴とする長尺物のパッケージの形成方法。
【請求項１０】
請求項２乃至６のいずれかに記載の長尺物のパッケージの形成方法において、
前記パッケージを下向きに圧縮して、その前記複数の山の高さが未圧縮時の高さから圧縮時の高さまで縮小された状態とし、該パッケージを梱包部材（４０）に収納して、圧縮状態に保持することを特徴とする長尺物のパッケージの形成方法。
【請求項１１】
請求項７乃至１０いずれかに記載の長尺物のパッケージの形成方法において、
前記複数の山の各長尺物の厚みが減少するまで、前記の圧縮が十分に行われることを特徴とする長尺物のパッケージの形成方法。
【請求項１２】
請求項１１記載の長尺物のパッケージの形成方法において、
前記長尺物を繊維体とすることを特徴とする長尺物のパッケージの形成方法。
【請求項１３】
請求項２乃至１２いずれかに記載の長尺物のパッケージの形成方法において、
前記パッケージの端面（１８）に並んだ複数の折り目（２５）と、前記接続端部（４４・４５・４６）との間に、スペーサシート部材（５８）を介装することを特徴とする長尺物のパッケージの形成方法。
【請求項１４】
請求項２乃至１３いずれかに記載の長尺物のパッケージの形成方法において、
前記の複数の山（２０・２１・２２・２３）を、各山の長尺物の側縁（２７・２８）が、該長尺物の全長にわたって、その隣の山の長尺物の側縁に接当していない状態になるように配置することを特徴とする長尺物のパッケージの形成方法。
【請求項１５】
請求項２乃至１４いずれかに記載の長尺物のパッケージの形成方法において、
各山の長尺物の、その端部から長手方向にスリットを設け、該長尺物の各スリットを構成する側縁（２７・２８）がその隣の山の長尺物から完全に分離している状態にすることを特徴とする長尺物のパッケージの形成方法。
【請求項１６】
請求項２乃至１５いずれかに記載の長尺物のパッケージの形成方法において、
各山の長尺物の畳み部分の側縁（２７・２８）を、その隣の山の長尺物の畳み部分の側縁に対して直接接触している状態にすることを特徴とする長尺物のパッケージの形成方法。
【請求項１７】
請求項２乃至１６いずれかに記載の長尺物のパッケージの形成方法において、
前記パッケージ（１０）を、閉じられたバッグを形成する柔軟な梱包部材（４０）にて包装し、該バッグからは空気を予め抜き出しておき、空気が入らないように密封して、その複数の山が、長尺物の畳み部分の表裏面と直角の方向に圧縮された状態で保持されるとともに、該梱包部材にかかる外気圧にて山同士が接触した状態で保持されるようにすることを特徴とする長尺物のパッケージの形成方法。
【請求項１８】
請求項１７記載の長尺物のパッケージの形成方法において、
前記パッケージを、包装した状態における前記梱包部材にて、その複数の山の長尺物の表裏面に対して一定の圧縮量で圧縮された状態のままで保持するものであって、その圧縮量は、パッケージ（１０）が、堅固な容器の壁を用いることなく、それ自体で立った状態にほどの強度を有するのに十分なように設定していることを特徴とする長尺物のパッケージの形成方法。
【請求項１９】
請求項２乃至１８いずれかに記載の長尺物のパッケージの形成方法において、
前記各山の長尺物上には、予め、機械で読み取り可能なマーク（９０）が列状に印されるものとし、各マークは、該長尺物の長手方向において適宜に位置決めされていて、それぞれ、前記折り目（２５・２６）の各々の位置を該長手方向において特定するように配置されてあるようにした状態で、長尺物を解き、解いた長尺物を読み取って該マークを確定し、該マークを用いて、該折り目に、またはその近傍に位置決めして横断方向に切り目を引き、解いた長尺物を切断することを特徴とする長尺物のパッケージの形成方法。
【請求項２０】
請求項２乃至１９いずれかに記載の長尺物のパッケージの形成方法において、
前記長尺物を解き、該長尺物の横断方向に引いた切り目に沿って、該長尺物の折り畳んでできた各畳み部分を複数のシートに切断するものであって、該各畳み部分の切り目のうち、二つの切り目は、その畳み部分の各折り目に、またはその近傍に引かれたものとし、できた各シートの中央の部分に折り目がないようにすることを特徴とする長尺物のパッケージの形成方法。
【請求項２１】
請求項２乃至２０いずれかに記載の長尺物のパッケージの形成方法において、
傾斜した支持面を有する繰り出しスタンドを設け、前記パッケージを該繰り出しスタンドに位置決めして、前記複数の山が鉛直線より一定角度傾斜しており、一側面をなす一番端の山（２３）は、傾斜した支持面上にもたれて支持された状態であって、各山（２０・２１・２２）がその次の隣の山にもたれて支持された状態であるようにし、該支持面と反対側の端の山（２０）より長尺物を繰り出し、各山より順に長尺物を繰り出していくことを特徴とする長尺物のパッケージの形成方法。
【手続補正２】
【補正対象書類名】明細書
【補正対象項目名】全文
【補正方法】変更
【補正の内容】
【発明の詳細な説明】
【発明の名称】長尺物のパッケージ及びその形成方法
【技術分野】
【０００１】
本発明は、長尺物のパッケージ、及びこのパッケージの形成方法に関する。
【背景技術】
【０００２】
多くの場合、連続した長尺物は、ロールに巻き取って、パッドやパンケーキと呼ばれるような一つの螺旋巻きのものにしたり、或いは、長尺物を前後に螺旋状に横切らせて横向きに巻いた状態のパッケージにしたりする。これらの構造は両方とも長尺物の長さが限られ、連続して取り扱うには、その外端で寄せ継ぎしなければならない。また、該パッケージの構造は、その径方向にテンションが変化するので、長尺物が損傷するおそれがある。  
【０００３】
これまで、連続した長尺物をパッケージするには、「フェスツーニング」と言われる技法を使っていた。この技法では、長尺物を前後に折り返していって、前後方向の畳み部分を一連に積み重ねていくものであり、この場合、各畳み部分がその次の畳み部分に対して、長尺物の横方向の線で折られた状態になっている。このフェスツーニング法は長年にわたって利用されており、タイプの異なる様々な物、特に帯状の織地または非織地等の繊維質のものをパッケージするのに用いられている。この技法では、ボール箱等の容器の中に長尺物を往復動させて案内していくのであるが、この動きには二通りあり、一つ目の動きで、長尺物のある部分が容器を横切って引き伸べられて前後に折り返され、もう一つの動きで、他の部分の位置を前記の部分とは直交する方向にして容器に対して旋回させるのである。通常、このための容器は、最低一つの底面と四つの垂直側面を構成するボール紙部分を有した硬質の直方体容器となっている。
【０００４】
フェスツーン法の目的は、長尺物を使用する機械に供給する長尺物をパッケージすることである。利用者の中には、この種の物のパッケージとして、巻取法よりも、このフェスツーン法の方を好む者がある。フェスツーン式は、巻取式に比べて、ずっと長い長尺物をパッケージできる。また、フェスツーン式パッケージは巻取式のものと違って、巻き取った物を解くための手段を必要としないので、機械のすぐ近くに簡単に配置できる。また、パッケージの始端と終端とが両方とも上部にあるので便利であり、その終端を次のパッケージの始端に繋げれば連続して長尺物を供給できる。更に、このパッケージは、長尺物を単純に繰り延べただけなので、パッケージから引き抜く際にテンション操作する必要が殆どない。これに比べて、大玉の巻取パッケージの場合には、その慣性力のためにテンション制御が問題となる場合があり、それ故、巻取物を解く手段が必要となる。フェスツーン式パッケージを用いる場合にはこのように複雑な解き手段がいらず、このため、有効スペースを拡大でき、また、コストを低減できるのである。
【特許文献１】米国特許第５０８７１４０号明細書
【特許文献２】米国特許第３７２９３６７号明細書
【特許文献３】欧州特許出願公開第０３８３５０１号明細書
【特許文献４】米国特許第５１７７９３４号明細書
【発明の開示】
【発明が解決しようとする課題】
【０００５】
フェスツーン式パッケージは、パッケージを確実に囲って収納できるような硬質の容器や箱の中で形成されており、その周りに置いた他のパッケージの重みでパッケージが圧縮されたりゆがんだりといったことがないよう、移送中にもこの中で収納されている。また、このようなボール紙容器は、積み上げた他のボール紙容器を支持し、積み上げたもののうち底の方のパッケージが過度に圧迫されるのを防ぐ。しかしながら、従来用いられているボール紙容器及びパッケージ構造には幾つかの問題点がある。
【０００６】
まず第一に、ボール紙容器は、末端の利用者から供給者へと返送するか、或いは廃棄しなければならず、いずれにしてもかなりのコストがかかる。
【０００７】
第二に、ボール紙容器内のパッケージは、大して圧縮することもなく単純に収納されているので、荷造り時に空気が入り込んで、容器内には無駄なスペースが存在する。また、これまでのパッケージ構造では、その中の空気スペースを縮小することはできない。従って、荷物が多ければ多い程、パッケージの密度は、輸送コストに見合う最適値に対してぐんと低くなり、結果的に輸送コストは増大する。
【０００８】
第三に、このパッケージを形成するのに必要不可欠の箱があることにより、その側面部が長尺物を操作するガイド部材の位置と動きを制限するため、長尺物を引き伸ばす際にその正確な操作が制限されてしまう。
【０００９】
第四に、長尺物を引き伸ばす際には箱の側面が長尺物と平行になるが、パッケージ構造の側部ぎりぎりにあるわけではないので、長尺物がパッケージの縁部と箱の側部との間にはまり込んでしまうというおそれも十分に考えられる。
【００１０】
加えて、従来のパッケージの形成技術では、原材料のウェブから細長く切り裂いてできた長尺物をそれぞれ別個のフェスツーン式パッケージ位置にて個々にパッケージするので、パッケージ位置が多くなればそれだけ多くの床面積を必要とする。また、これらのパッケージ位置にて占められる面積が大きいと、それだけ原材料の切り裂き位置からパッケージ位置までの距離が長くなり、長尺物に無理なテンションが潜在的に生じて駄目になるという問題が伴ってくる。
【００１１】
従来のフェスツーン技法に関する一例が、１９９２年２月に登録されたキートン氏の米国特許第５０８７１４０号に開示されている。
【００１２】
この汎用されたタイプのパッケージに関しては、そのパッケージ技術は便利で目下活用されているのだが、そのパッケージ構造については、以上のような理由で解消されていない重大な要望事項を含んだままになっており、改善の余地がある。
【００１３】
従って、本発明の目的の一つは、前記のフェスツーン式パッケージのように、高速で長い長尺物を供給可能である一方、パッケージの安定性及び厚みについて改善されるよう、パッケージの改良構造を提供することにある。
【００１４】
なお、ゴムの長尺物の連続供給に関しては、該長尺物を扇状に前後に折り畳んで山状にし、この山の一端から長尺物を引出し可能にするという技術が知られており、また、複数の長尺物を同時に折り畳んで、扇状に折り畳んだ長尺物の山を横並びに形成する技術が、１９７３年４月に登録されたショア氏の米国特許第３７２９３６７号にて公知となっている。
【００１５】
これらの長尺物は、一連の接続用のタブによって隣同士接続されているので、長尺物を使用する際にこれを壊さなければならない。そして、これらのゴム製の長尺物は、型押し機に入れる際、作業者が一本一本機械に供給する。
【００１６】
関係のない分野においては、切符等の長尺物を扇状に折り畳んで山をなし、個々の山を個々の容器やカセットに収納するというパッケージ技術も公知となっている。この技術に関しては、欧州特許第３８３５０１Ａ号（アレックス＝コントロール＝システム株式会社）に開示されている。即ち、長尺物の終端部を、カセットの底面から上端の開口部に延伸して、その末端をひっかけ、他の同様のカセットに収納した長尺物のそれに接続できるようにするのである。これらのカセットは、駐車システムでの切符供給に用いられ、客への切符の供給を維持するのに最大一個乃至二個のカセットを追加する場合が考えられるのである。
【００１７】
本発明の分野における先行技術に関して、更に別のものが、１９９３年１月に登録されたヤマモト氏の米国特許第５１７７９３４号に開示されているが、これは、トイレットペーパーの一本の長尺物を巻かずに扇状に折り畳んで一つの山にし、圧縮して真空パックにしたものである。
【課題を解決するための手段】
【００１８】
本発明により提供される長尺物のパッケージは、長尺物を前後に折り畳み、各畳み部分が、次の畳み部分に対して、長尺物を横切る方向の折り目を介して折り畳まれた状態にし、該畳み部分の側縁を列状に並べて山をなし、各山の長尺物は該山の一端面に配される一番上の端部からその反対側の端面に配される一番下の端部まで、該山を通じて一繋がりであるようにし、このように長尺物によってできた山を複数個具備してなるものである。
【００１９】
この中で、該複数の山は平行状に横並びに配置されて、各山の長尺物の該畳み部分の側縁が、その隣の山の側縁に隣接して、堅固な容器の壁を介装することなく、一つのパッケージを構成しているのであり、
その特徴として、
各山の長尺物の該両上下端部は、該パッケージにおいて、接続端部をなすよう構成されており、これら上下端は、山と山同士連結して一繋がりの長尺物を作成できるよう他の山の接続端部に繋ぐのに取扱いやすいような状態にしてあるか、或いはそのうち少なくとも一つを、他の山の接続部分に接続しておいて、山と山同士連結させておき、一繋がりの長尺物を提供できる状態にしてあるかのいずれかである。
【００２０】
本発明は、第二に、次のような長尺物のパッケージの形成方法を提供するものである。即ち、
複数の長尺物を横並びにした状態にして長尺物を供給する行程と、
長尺物を前後に折り畳み、各畳み部分が、次の畳み部分に対して長尺物を横切る方向の折り目を介して折り畳まれた状態にし、該畳み部分の側縁を列状に並べて山をなし、各山の長尺物は、該山の一端面に配される一番上の端部からその反対側の端面に配される一番下の端部まで、該山を通じて一繋がりであるものとして、このような山を複数個形成する行程と、
該複数の山を平行状に横並びに配置して、各山の長尺物の該畳み部分の側縁がその隣の山の側縁に隣接して、堅固な容器の壁を介装することなく、一つのパッケージを構成する行程とを有する方法であって、
その特徴としては、
該パッケージにおいて、各山の長尺物の該両上下端部に、接続端部を設け、
該両上下端は、山と山同士連結して一繋がりの長尺物を作成できるよう他の山の接続端部に繋ぐのに取扱いやすい状態にしておくか、
或いはその少なくとも一つを、他の山の接続部分に接続しておいて、山と山同士連結させておき、一繋がりの長尺物を提供できる状態にしておくものである。
【発明を実施するための最良の形態】
【００２１】
本発明の実施例について、添付の図面を参照して説明する。
【００２２】
本発明に係るパッケージの第一例を図１乃至図５に示している。このパッケージは柔軟材よりなる梱包対象物としての長尺物またはシート１１より形成された大凡直角状の本体１０を有するものである。一般に、この柔軟材は、織地または非織地の繊維からなるものだが、このことは、本発明のパッケージ構造にとって必要不可欠の要件というわけではなく、以後に説明する技術によって、各畳み部分の端部に必要な折り目をつけることができるならば、どのような厚みでもどのような材料でもパッケージできる。なお、長尺物というのは、厚みよりも幅が大きく、一般的に二つの平面と二つの側縁とを有するものである。また、一定幅であるのが望ましいが、これは必ずしも必要なことではない。
【００２３】
図２では、最終段階の機械に供給できる状態に仕上がった様子のパッケージが図示されており、長尺物には、このパッケージにおける始端１２と終端１３に該る部分があり、これらの端部は、更に、該パッケージを介して互いに反対方向に引き継がれている。図２のパッケージは、輸送或いは使用に際して通常に位置づけられた状態のものであって、上面が１４、底面が１５、左右側面が１６・１７、前後端面が１８・１９で示されている。
【００２４】
パッケージは複数の長尺物の山から形成される。図示の本実施例では、２０・２１・２２・２３の四つの山からなっている。これらの山は隣り合わせに平行に配置されていて、山と山との間に介在するものはない。即ち、これらの山を側面１６・１７に平行に配置し、最初と最後の山２０・２３との間に中間の山を複数個（本実施例では二個）配置してなるのがパッケージである。
【００２５】
以後、「山」という場合、これは、必ずしも上下方向に積み上げたものである必要はなく、また、特にどのような方向に積み上げたものを指すものでもない。通常は、長尺物を前回に引き伸ばしたものの上に積み上げて、略鉛直状の「山」を作るものだが、本構成においては、必ずしもこうである必要はない。
【００２６】
言うまでもなく、パッケージの寸法は必要に応じて変更可能としてもよく、山の数や、各山の前後長或いは高さは、制限幅内で変更できる。
【００２７】
長尺物の各山には、次々に積み上げてできた長尺物の部分が複数構成されている。即ち図１に示すように、この部分は、前後に折り返してアコーディオンのように折り畳まれたシート状となっており、その各端部の折り目２５・２６がそれぞれ共同して、パッケージの前後端面１８・１９に該当する鉛直面を形成している。長尺物が一定幅を有している場合において、各該部分はその前の該部分の上に直接重ねられており、図３の如く、その側縁２７・２８が共同して鉛直面２７Ａ・２８Ａ上に配列された状態となっている。即ち、各山の長尺物の側縁２７、そして側縁２８がそれぞれ一列状に配列されるのである。
【００２８】
こうして、底端の部分２９から上端の部分３０へと長尺物の該部分を次々に積み上げて山をなし、パッケージを形成するものであり、各パッケージにおける複数の山は、それぞれ、長尺物の該部分の方向において一定の長さを有し、この長さは他の山のそれに等しく、それ故、パッケージ自身の長さに相当する。また、各山は共通の高さに形成されるので、この高さはパッケージそのものの高さに相当する。
【００２９】
図４及び図５で示す（図２では図示の便宜上省略している）ように、このパッケージは可撓性のある梱包部材４０により包装される。この梱包部材４０は断熱性、非透過性を有し、パッケージ全体を包むようなプラスチック部材であることが望ましい。また、望ましい形態として、底部４１、側部４２、及び開口上端部４３を有するバッグ形状にするとよい。図５の４３Ａは、この開口上端部４３をパッケージの上方にて閉じて熱溶着した部分を示す。パッケージは、上端１４から下端１５にかけて圧縮されて十分に高さが縮小される。この圧縮により、パッケージから空気が放逐される。包装したパッケージを真空式パッケージシステム内で使用すれば、空気はパッケージの外部に保持され、バッグ外の空気圧によりパッケージは上下方向にて圧縮され続け、山と山とが隣り合わせに接触する状態が維持される。パッケージの圧縮量、即ち高さの縮小量は、パッケージから長尺物を繰り出して製品を製造する際にこの製品の製造位置と干渉しないまでにパッケージの容積が縮小されるよう設定すればよい。このパッケージは、帯状体の山と包装バッグだけからなるので規制するものがなく、これらだけでしっかりとした構造になっている。
【００３０】
即ち、この梱包構造においては箱またはそのような容器によってもたらされる硬質な側面部材は不要であり、長尺物の山を圧縮してその高さを縮小し、また、各山をその隣りの山に圧接させることにより、安定したものとなっているのである。
【００３１】
可撓梱包部材は、包装さえ可能であればバッグでなくてもよい。また、これによって包装ずみのパッケージを保持するのに真空状態にしたり、また、長尺物の山を圧縮するのも、望ましいことではあるが必ずしも必要というわけではない。
【００３２】
パッケージは、その山における長尺物の前記部分の表面側に対して直角の方向Ｄにしか圧縮できない。この圧縮作用により該部分の厚みが圧縮され、この圧縮によって各該部分のＤ方向の寸法が縮小するのである。山をゆがめてしまうことになるので、該部分に沿って、即ち、山に対して直角方向に圧縮することはできない。機械によりパッケージをクランプ板Ｄ１・Ｄ２で保持してＤ方向に圧縮すると、パッケージの寸法がこの方向に縮小されるとともに、可撓梱包部材４０より空気が押し出され、この結果、梱包部材がパッケージ上に引き込まれてパッケージを圧縮状態で保持し、各山には圧力がかかって密着状態で保持されるのである。
【００３３】
図４のパッケージは未圧縮状態のものであるが、この状態においては、梱包部材（バッグ）４０の底面４１は、この未圧縮のパッケージの長さよりも若干長い寸法でセットされていて、このようにセットされたプラスチック製梱包部材内に対しパッケージを簡単に投入することができ、また、投入したパッケージを梱包部材にて位置決めして保持できるのである。移送や貯蔵の間、パッケージは、圧縮・減圧された状態で保持される。なお、この状態の時、梱包部材は、両側面４２がＤ方向に圧縮されて、皺や折り目３９ができているが、減圧を解除するとパッケージが圧縮状態から拡張し、通常の非圧縮状態になるので、バッグも最初の寸法の状態に戻って、折り目３９が消える。
【００３４】
パッケージの向きは、図２のように、長尺物の前記部分を水平にして積み上げて上下方向の山を築き上げた状態のままのものにしてもよい。この向きの場合バッグの上端は、パッケージの上端になる。図４及び図５に示す向きにおいてはパッケージが９０度回転されて、前後一端面１８が上端になっている。これは、後述のように（バッグを）寄り継ぎするのに便宜上このような向きにするものであって、必ずしも必要ということではない。なお、図１１のように、パッケージの左右側面部が上下になるように回転してもよい。以上に述べた様々な向きの中で、どの向きにパッケージをセットしても、包装すれば、パッケージは安定した状態になり、通常の昇降機構や搬送機構で取扱い、搬送することが可能であり、また、パレットに載せたり、他のパッケージの上に載せたりすることもできるようになる。
【００３５】
但し、少なくとも長尺物を繰り出す作業に際しては、パッケージの向きを考慮すべきであろう。図９及び図１０においては、最終工程用の機械に長尺物を供給すべく、山は鉛直に立った状態のままでセットされている。このように向けると一パッケージの山２０・２１・２２・２３は、全て鉛直に立った状態で横並びになり、各山における長尺物の一番上の部分３０から一番下の部分２９まで、個々の折り畳んだ部分が全て水平状になっている。このように配置すれば、各山は必然的に一番上の部分３０から一番下の部分２９へと順に解かれてゆくことになるのである。
【００３６】
図１に示すのは、パッケージの初期構造であり、横並びの各山の長尺物と、その隣の山の長尺物とは分離されている。一つのウェブから横並びに複数の細片を帯状に切り裂いて、一対のニップローラを備えた搬送体を用いて横並びのまま同時に折り畳んでゆけば、このような図１の状態にすることができる。ニップローラーは、パッケージの左右側面１６・１７に直交する方向に水平に延設されたものであって、搬送体上にて、その軸芯と直交する方向に往復動することにより、ローラ間のニップ部が、パッケージの前後端面１８・１９間を前後に移動して、規定の長さに長尺物を正確に引き伸ばし、折り目２５・２６にて各該部分を折り返すのである。
【００３７】
図１の如く、各山２０の一番上の長尺物部分３０は、通常、山の上端面１４から更に伸ばして、自由始端部４４として前端面１４に垂れ下げる。この端部は山２０の上端部にて引っ張り上げて、始端１２とすることができる。
【００３８】
一番下の長尺物部分２９は、山の下から引っ張り出して、即ち、山を形成する前に、パッケージの前端面１８から、或いは前端面１８を越えて引き伸ばして、終端部４５をなす。
【００３９】
ある種の材料やある種の方法では、終端部４５を繋いだり寄り継ぎしたりせずに、輸送または貯蔵が完了した後に寄り継ぎできるよう、単にパッケージの上端で自由端として置いたままの第一図に示した状態でパッケージを包装することが望まれる。パッケージはこのまま置いておいて、機械に供給搬送する際に折を見て簡単に寄せ継ぎできるようにしておけばよい。寄せ継ぎは、移送後、長尺物を繰り出すまで、更に言えば、最初の山２９を解くまでにしておけばよいし、効果がある。終端部４５はパッケージの側面に沿って上方に引き伸ばし、上端部に位置させると便利であり、この状態で前記のように山を立てた姿勢にしておけば、パッケージの上端部或いはバッグを開けるか取り除くだけで簡単に始端部４４及び終端部４５に触れることができる。
【００４０】
図示の如く、終端部４５は全てパッケージの端面１８に配置される。この終端部を前後端面１８・１９に振り分ける、例えば、山２１・２３の終端部４５を端面１９に配置するというのは、理論上は可能だが、実際は望むべくもない。
【００４１】
図２では、望ましくは移送に先駆け、終端部４５を継ぎ目４６で始端部４４に寄せ継ぎしている。寄せ継ぎは特に高速に処理する必要はなく、かがり縫いやテーピングや熱シール等、通常の機械の流れに合った時間よりも多少時間がかかっても、効果的に寄せ継ぎできるものであればよい。図示されている継ぎ目はオーバーラップした状態のものであるが、実際にはオーバーラップ部分のない切片を突き合わせしたようなものでもよい。
【００４２】
寄せ継ぎは、各長尺物の表面Ａがその次の隣の山の長尺物の表面Ａに繋がり、同様に裏面Ｂ同士が接続されるものであれば十分である。長尺物の表裏は区別しなければならない場合もあれば、必ずしもこのような処置を必要としない場合もあるが、確実に長尺物を捩じれることなく一貫した状態で供給するため、一般的に言って、このような手法が望ましいのである。
【００４３】
長尺物を繰り出す際に確実に捩じれないようにするには、終端部４５を捩じって、捩じった面をまた反対側に捩じり返して次の長尺物に繋げて、山２０から山２１へと繰り出しが連続するようにしなければならない。長尺物の状態と繰り出し工程をよく考えれば、一回転した捩じりを通じて一つの山から次の山へと繰り出しが自動的に移行するのが判るだろう。従って、継ぎ目４６における寄せ継ぎの前に各終端部において、一つの反転面４７が現出するよう一回転状に捩じっておくことが必要である。
【００４４】
この捩じり反転は、望ましくは、長尺物の第一の部分５０の上端に第一の折り目４８が現れ、部分５１の下端に第二の折り目４９が現れるようにして行う。第一の折り目４８と該部分５０は山２０上に沿って配列され、該折り目４８は４５度の角度で水平状に折り返されている。これにより、長尺物の水平部分５２が形成され、折り目４８から折り目４９へと効率よく水平に伸びて、終端部４５と両部分５０・５１のなす本来の鉛直方向に対して直交する。終端部４５の鉛直部分５０は第一の折り目４８によって外側に折り返されて水平部分５２となり、水平部分５２が第二の折り目４９で内側に折り返されて終端部４５の鉛直部分５１となる。この折り方により、水平部分５２を最短にし、見た目にすっきりしたものにしつつ一回転の捩じりを行うことができ、これにより、見栄えがよくなり、また、終端部４５のうち、取扱いに便利なように弛ませた部分は、他面、他のものに干渉したり絡まったりするおそれがあるが、この部分が小さく制限されるのである。
【００４５】
更に、終端部４５の鉛直部分５１は山２１に沿って継ぎ目４６まで真っ直ぐ上に引き伸ばされ、該継ぎ目４６からは始端部４４が繋がって、山２１の側面から上面へと上方に続くのである。
【００４６】
前記水平部分５２は、山２０の底部またはその付近に配置するのが望ましい。こうすれば、山２０の繰り出しを行う際に、終端部４５の殆ど全部が山２１によって支えられる。これにより、山２０から長尺物が繰り出され、この繰り出しがその一番下の部分２９から終端部４５を通じて山２１の始端部４４へと移行するまで、この長尺物に終端部４５が絡まるおそれは、殆どといっていいほど無いのである。
【００４７】
図３乃至図５においては、図２に示したパッケージと同一のパッケージが図示されている。図３のパッケージは、寄せ継ぎを部分的に行っており、全山の終端部４５のうち幾つかのものだけを次の山の始端部４４に繋いだ状態となっている。また、図３のパッケージは、図２のものと同じ向きにセットされており、上面１４が一番上になっているので、圧縮板Ｄ１・Ｄ２は鉛直向きに作用する。図４及び図５においては、これと同じパッケージをクランプ板Ｄ１・Ｄ２内にて回動しており、板Ｄ１・Ｄ２は鉛直状で、前端面１８が一番上になっている。この位置の状態では、端部４４・４５は水平向きになっており、水平状になった端面１８で支えられた状態となっているので、寄せ継ぎと捩じりが簡単になる。
【００４８】
図４のパッケージは、捩じりと寄せ継ぎを行った後で、バッグ４０を開けたままの圧縮前の状態である。図５のパッケージは、圧縮された状態であり、外側が包装され、即ちバッグ４０にて保持されている。この状態では、パッケージにおける上下端１４・１５間の高さが、未圧縮のものから図示の圧縮後のものに縮小されており、この縮小量は、材料の圧縮度によって変化する未圧縮状態での高さに比例するものである。
【００４９】
この上下収縮により、接続部分４４・４５において、余剰部分５４が残ってしまい、これを、圧縮した状態にて纏めなければならない。図５のように、第一の横折り目５３及び第二の横折り目５３Ａにて、接続部分４４・４５を注意深く折り畳めば、このように圧縮した状態で余剰部分５４を纏めることができる。なお、両折り目５３・５３Ａは、長尺物の縦方向に対して直角状であって、両者の間隔は余剰部分５４の長さの半分に設定されている。
【００５０】
クランプ板Ｄ１・Ｄ２に支えられて、パッケージは所定の縮小量に至るまで機械にてＤ方向に圧縮される。この圧縮行程中に接続部分４４・４５が弛んで、余分部分５４が形成されるので、手動で注意深く折り畳み、図２に示すように各山の始端部４４に形成した折り畳み部分を一列に配列するのである。圧縮を終え、折り畳みを完了すると、市販の真空シール装置でバッグを閉じて密封し、バッグの上端縁を密封して減圧する。この減圧行程は、バッグをまだ密閉しないうちに行えば、機械による圧縮に加えてますますパッケージが圧縮されてしまうおそれがあるので、折り畳み作業の際にはこの作業を効果的に行えるようにバッグを開けておき、折り畳み作業が終わったら密閉すればよい。いずれにせよ、終端部４５に関しては減圧行程を経ても皺が寄らないようにしなければならない。
【００５１】
接続部４４・４５と折り目２５を有する端面１８との間には、スペーサー部材５８を配置する。折り目の並ぶ面は、いくら圧縮しても、実際の折り目自体の出っ張り部分と奥まった部分とが連なって凹凸な面となっているのは仕方ないとして、接続部分４４・４５に関しては、平坦で皺が寄らないように保持することが重要である。この部分は、何もしなければ、バッグからの減圧（即ち、バッグ外部の空気圧）で端面１８を圧縮すると皺が寄ってしまうのである。
【００５２】
この目的に沿うよう、スペーサ部材５８は、細密組織の発泡体等、圧縮自在なフィルター部材６１の上部に、平坦外面６０として定義される比較的固い平坦な材料でできた強化シート５９を添付或いは保持してなるものとしている。強化シートは、接続部分に提供する平坦面６０として叶うよう、平坦な状態を維持できるぐらいに十分な固さを有するものでなければならず、例えば、ボール紙やこれと同様の材料で構成されている。圧縮自在の材料、または発泡体が、折り目と折り目の間の凹部に埋め込まれた状態になっているため、圧縮しても、強化シート５９はこれらの凹部に押し込まれることはなく、平坦に保持される。
【００５３】
バッグの減圧までの間、スペーサ部材は適宜位置にずっと挿入されており、スペーサ部材の高さが圧縮後のパッケージの高さに相等する。
【００５４】
なお、前に述べたように、圧縮、包装後でも、図１に示すような状態でパッケージを搬送することがあるが、このような場合でも、端部４４・４５の皺を防ぐのに、スペーサ部材が用いられる。
【００５５】
次に、図６に関しては、接続部分の別実施例が開示されている。これは、圧縮中に接続部分を折り畳んでおく必要のないようにしたものである。即ち、終端部４５から始端部４４にかけて延伸される接続部分を、前記の捩じり部分４７のように捩じっておいてから、寄せ継ぎ４６を構成しているが、この寄せ継ぎによって、接続部分は、図２の折り目５４に該当するような折り目を設けることなく、パッケージの端面１８上に緊縛された状態となっている。従って、図６ではバッグを密封し、減圧しての圧縮されたパッケージの状態が開示されている。
【００５６】
このパッケージにおいて、底面１５は水平の支持体の上に置かれて、上面１４が上に配置されている。この向きでバッグを開けると、真空状態が解除され、パッケージが膨張してもとの緩まった状態に戻ろうとするが、この膨張の際、接続部分の長さが足らないので、パッケージは緩まった状態の高さにまで至らない。そこで、図示の矢印３０Ａ・３０Ｂの如く、一番上の部分３０を引っ張って接続部分を伸ばし、余分の長さを足す必要がある。
【００５７】
上端１４にて一番上の部分３０を単独でスライドさせることができるよう、一番上から二番面の部分と三番目の部分３０Ｄとの間に、スリップシート３０Ｃを配置している。このため、パッケージの端面１９の折り目２６が矢印３０Ｂの向きで引っ張られ、次の折り目と部分３０Ｄから引き離されるが、この際、次の部分３０Ｄが一緒になって引っ張られてしまうということがないのである。このスリップシートは、プラスチックやそれと同様の材質等、それに見合うような柔軟で摩擦の少ないシートであれば、どのようなものでもよい。スリップシートは、両端面と両側面との間の全面積を覆うので、上から二つの部分を引き離しても、パッケージの残り部分はそのままの状態で保持される。
【００５８】
次に、図７においては、接続部分４４・４５における捩じり、寄せ継ぎ、及び折り畳みの作用をもっと効率的にできるようにするための別実施例が描かれている。この実施例では、一連の工程の間、上面１４はずっと一番上に配置されたままの初期の向きのままで保持される。この向きのまま、端部４４・４５にて構成される接続部分は、圧縮に際して、前記の如く、予め捩じっておいて捩じり部６２を形成し、また、前記の如く、寄せ継ぎして継ぎ目６３を形成するものの、これらの捩じり部と継ぎ目は、上面１４に配置されている点が前記とは異なっている。このようにパッケージの一番上の水平面である上面１４上にあれば、これに支持されて、これらの捩じりや寄せ継ぎは人手で簡単に行うことができるのである。各山の端面に沿った終端部４５の、パッケージの底部からの高さは未圧縮状態でのパッケージの高さに相等する。
【００５９】
このパッケージは必ず包装バッグに詰め、バッグの上端開口部はパッケージの端面１８に対峙させる。圧縮は、クランプ板Ｄ１・Ｄ２を用いた図３に示したものとする。圧縮によって、前記の捩れ部分以外に、パッケージの両側面に捩じれが生じないように、圧縮の間、一対の側板６４・６５にてパッケージの両側を支持する。バッグは、両板６４・６５の内面、クランプ板Ｄ１の下面、及びクランプ板Ｄ２の上面にて位置決めされることは言うまでもない。
【００６０】
パッケージを圧縮すると、終端部が、圧縮されたパッケージの高さに比べて長くなり、余分になった部分は図７に示すように注意して折り畳む。圧縮後の高さが、非圧縮時の高さの半分よりも低くなる場合には、折り目６７・６８・６９・７０を有する折り目部６６の如く、幾重にも折り目をつけるとよい。
【００６１】
次に、図８においては、接続部分に必要な寄せ継ぎ、捩じり、折り畳みを構成するための更に別の実施例について開示している。この図８の実施例では、図７のものと同様に、寄せ継ぎ部７１については、上面１４上の一番上に位置しているが、捩じり部と折り畳み部に関しては、一つのものに纏められて、パッケージの前端面１８上に配置されている。即ち、第一折り目７２と第二折り目７３が上下に形成されているが、この折り目の向きにより、長尺物は自然にその長手方向に捩じれて、必定な単一の捩れ部分７４が形成されるものであり、これは同時に、これと同じ位置にて折り畳み部を形成しているのである。この効果として折り畳み部分が図２のものよりも拡張されたものとなっており、両折り目７２・７３同士の間が、折り畳み部分７４の長さ分だけ離れていて、それぞれ長尺物の長手方向に対して殆ど横断した状態となっているので、見た目にすっきりしており、余分な皺や折れ目がつきにくい。
【００６２】
次に、図９及び図１０は、前述の如く構成した図２及び図８図示のパッケージの繰り出し技術について開示している。ここで描かれているパッケージは、図８にて図示されているものではあるが、捩じりや寄せ継ぎがこの繰り出し作業に対して及ぼす影響は、許容される程に殆どないか、若しくは全くない。従って、図２乃至図７に示したどのパッケージも、同じ手段で作業することができる。
【００６３】
そして、図９のように、パッケージを圧縮状態から解放すると、接続部分のうち、捩れ部分７４が長手方向に弛んで伸びるので、長尺物の繰り出しを山から山へと移行させることができる。バッグ４０を切って、底面４１と、支持板８２上を覆う側面とのみを残して、上端面４３とその他の側面４２とを取り除き、スペーサ部材５８を取外す。
【００６４】
パッケージは繰り出しスタンド８０上に置かれて繰り出し作業にかけられる。このスタンドには、略水平方向の主支持板８１を具備しており、この上に山２０〜２３を略上下方向に搭載して、上から下への長尺物の繰り出しに備える。
【００６５】
更に、スタンド８０には、支持板８１と直角方向の側部支持板８２が備えられている。スタンドは、山２３が支持板８２上に寄りかかり、残りの山がその隣の山の上に寄りかかるような状態にするように、一側に傾斜させるが、この角度は１０〜２０度位の僅かな角度であり、山をこのような状態にするにはこの角度で十分である。即ち、この傾斜角度で十分に、支持板８２から離れる方向に山と山とが離れてぐらついたり腰折れしたりするのが防げるのである。
【００６６】
なお、パッケージには僅かだが膨張性があり、第一の山２０上で長尺物を引っ張ることによって、残りの山は安定した状態に保持されていても、第一の山２０がぐらつく可能性が生じる。そのため、第一の山から長尺物を繰り出す際においても、また、更には、第一の山と同様に、それに続く一連の山から長尺物を繰り出す際においても、その山がぐらつくことのないように、前記の傾斜角度を設定する。こうして、第一の山２０が、上から下へと長尺物を繰り出すのに適した状態となり、また、残りの各山も順にこの状態にセットされる。この構成は、その他にパッケージの側面を支持する手段を設ける必要がなく、繰り出し中のパッケージを、図示のような安定した状態にできるという点で有用である。また、長尺物の繰り出しが山から山へと移行する際に、梱包部材やその他の支持部材に接することがないので、このような部材と接触して摩擦が起こることで、長尺物かこれらの部材のうち弱い方の材質のものが破れてしまうという事態を生じるおそれもない。
【００６７】
このパッケージの長尺物は、次々切断して、一定の長さのシート様のものを一連状に製造するのによく使用される。この際、前記の折り目によってうまくシートを切り出すことができないということのないように、前記のパッケージ行程で山に折り目をつける際に、マーカー（図示せず）をパッケージ装置の近くに配置しておき、折り目に位置合わせして長尺物上にマーク９０を印し、このマークを機械にて読み取らせる。マークとしては、インクジェット等を用いて、点や四角の形のものを印すことが考えられ、人の目にも、切断機械にも、両方認識可能であるものとし、場合によっては、前記のマーク読み取り用の機械にも認識できるものとする。マークは、切断刃９２に対する読み取り器９１の相対位置によっては、折り目に直接印されることもあればずれていることもあるが、いずれにせよ、切断刃９２は折り目のすぐ近く、或いは、ある程度近傍を接続するように配置すると効果的である。図示の例では、マークは、折り目の手前、または切り目となる線の手前に位置しており、長尺物の幅方向に短く印されている。マークを折り目の一つ一つに位置合わせする際には各マークがそのマークの示す折り目から一定の距離だけずれるようにしておく。インクジェットを使って各折り目のみにマークを施す場合には、長尺物の各部分に一つずつのマークが印される。切り目を各折り目に対してのみ設定するならば、長尺物の各部分を丸ごと一つのシートの長さにするよう設定しなければならない。しかし、多くの場合、シートの長さと長尺物の長さは、長尺物の各部分より二枚以上のシートが切り出されるような関係にある。従って、切り目となる線に全てマークを施してもよいし、或いはやはり折り目のみをマークするようにしてもよい。いずれにせよ、折り目がうまく各シートの端部の近くに配置されて、シート製造物の価値が損なわれないように切り目が設定される。
【００６８】
次に、図１１のパッケージは、前記と同じく長尺物の山から構成されたものではあるが、山の上に山を横向きに積んだ状態にして、上の山から下の山へと長尺物を繰り出すようにしたものである。寄せ継ぎや捩じり、また、折り畳みの構成に関しては、前記と同じであるが、パッケージがこの向きにセットされていることで、寄せ継ぎにはもっと簡単な技法が用いられている。包装、圧縮、及び密閉に際しては、このように山２０〜２３が横向きになるようにパッケージを配置する。この向きでパッケージを積み上げた場合には、一のパッケージの重みが他のパッケージへと鉛直状に重みがかかって、この重みが、各パッケージにおけるパッケージを通して下のパレットまで伝わるが、この際に、長尺物が崩れたり損傷したりすることはない。これは、長尺物が、幅方向においては比較的硬度があり、山に圧縮力がかかっても、長尺物が一体となって、これに耐え得るような堅固な構造を形成するからである。
【００６９】
図１１に示すところでは、一番上の山２０において、始端部１２から、パッケージ１０の端面１４に位置する終端部９４にかけて、長尺物が途中まで繰り出されている。次の山２１においては、始端部９５が山２０の終端部９４と同じ端面１４に配置されており、この終端部９４は、継ぎ目９７を有する接続部分９６を介して始端部９５に接続されている。接続部分９６は端面１４と同一面に配置されており、山２０と山２１との間に対角線状に延伸されている。
【００７０】
また、これに対称させて、山２１の終端部（図では見えない）も、継ぎ目を有する接続部分（図では見えない）を介して山２２の始端部に接続されている。これら山２１の終端部、接続部分、及び山２２の始端部は、全て、パッケージの端面１５において、共面をなす。
【００７１】
更に、接続部分９８と継ぎ目９９とは、端面１４上において、山２２の終端部１００と山２３の始端部１０１とを接続している。
【００７２】
接続部分９６・９８、そして、更に山を追加した場合に必要となる接続部分は全て端面１４に配置され、これらのものと交互に配置される山の接続部分は反対の端面１５に配置される。接続部分は、長尺物の端部にて共面をなし、従って、前記の如く圧縮して包装した状態において、パッケージの側面上に平坦に配置される。
【００７３】
このパッケージは、長尺物の繰り出しに際しても、図１１に示した向きに配置する。こうして、長尺物の端部と接続部分の位置を定めて、バッグを位置決めし、バッグの上端部４３を除去するか、小さな孔を開けて、長尺物の始端部１２を見つけ出し、該開口部より引っ張り出す。パッケージをこの向きにすると、各山の側面がその下の山に支えられて、山がぐらつくことなく、各山の長尺物の繰り出しを順に行うことができるのである。
【００７４】
ここに図示した寄せ継ぎ方法は、図１１の状態で長尺物を繰り出す際に、山から山へと繰り出しが移行しても、確実に長尺物に捩れが生じないようにすることができることは判るだろう。しかし、山２０の長尺物の表面Ａを山２１の長尺物の表面Ａに繋ぐには（同時に、裏面Ｂ同士を繋ぐには）、山２１の長尺物を反転させなければならない。対称的に、山２２は山２０と同じ向きとし、山２３は山２１と同様に反転させる。この反転に関しては、山の途中部分を物理的な方法で持ち上げて、山と直角な方向を回動中心線にして１８０度回転すれば得られることである。また、前記の如く、同時に全山の両側面に折り目をつけていく折り畳み行程に長尺物を供給する際に、長尺物を１８０度捩じっておけば、同様の効果を得られる。この捩じりにより、表面Ａは、山２０・２２の端面１８における各折り目においては外側に位置し、山２１・２３の同一端面に並ぶ折り目に関しては、裏面Ｂが外側に位置する。
【００７５】
その他の実施例として（図示せず）、前記の如き折り畳み行程や圧縮行程を、一本の長尺物よりなる一つの山に施してもよい。この長尺物は、比較的幅の広いものとすることも可能であり、例えばカーペット等の繊維を前後に折り畳み、バッグに梱包して圧縮し、バッグを減圧してその外側の空気圧にて圧縮された状態を保持するのである。
【００７６】
この山の高さは、圧縮によってある程度まで縮小し、堅固な構造になって、それ自体で立つようになるので、長尺物を保護するとともに簡単に扱えるようになるのである。
【００７７】
また、移送、貯蔵、或いは取扱い中において、バッグが破裂して真空状態が解除することにより不意に予期せぬパッケージの膨張が起こらないように、パッケージを圧縮状態に保持するよう、バッグを更に収縮自在の包装部材或いは他の部材で包装してもよい。
【００７８】
更に別の実施例として（図示せず）、長尺物を唯一の端部より引き出し、各山を順に構築してパッケージを形成してもよい。この場合、長尺物が寄せ継ぎすることなく山から山へと連続する。但し、この技法では、山を作る行程が比較遅くなり、長尺物を切り裂く元となる全幅分のウェブを引き出す巻取部が相当数必要となるという点では不利である。
【００７９】
また、更に別の実施例として（図示せず）、図１に示したパッケージを、その一番上の部分と一番下の部分とを繋がない状態のままで、圧縮、包装、及び長尺物の使用拠点に至るまで移送する。長尺物の使用拠点では、パッケージから一繋がりの長尺物を供給するのに、各山の長尺物をその隣の次の山の長尺物に繋ぐのではなく、次のパッケージの該当する山に繋ぐのである。従って、各山から一つ一つばらばらに長尺物が使用拠点の機械に供給される一方、各山の長尺物は、該使用拠点において、寄せ継ぎにて他のパッケージの山に繋げられて、ばらばらの長尺物を一つに繋げて供給するのである。いずれにせよ、一パッケージにおいては山々が隣り合って配列されており、各山の長尺物の一番下の部分は終端部として接続すべく、図１のように引き出されている。
【００８０】
更に、図５及び図６に示したものと同様の構造で、図示せぬ別の実施例として、終端部４５をパッケージの反対側の端面に配置する。この実施例では、接続部分の捩じりが省略でき、また、終端部をそのすぐ下のパッケージの一番上の部分にまっすぐ繋げることができる。このように捩じりを設けずに終端部を接続した場合、上の山から下の山へと次々に包装を解く時に、自動的に終端部が捩じれて、３６０度捩じれた状態で次の長尺物に移行する。この捩れは、次の山に移行する時に反対の方向に捩じれば解消される。
【図面の簡単な説明】
【００８１】
【図１】本発明に係る長尺物のパッケージであって、四つの長尺物の山を有するものの等角投影略図であり、一つの山から次の山へと長尺物を繋いで圧縮する前の段階を示しており、可撓梱包部材については図示の便宜上省略している。
【図２】図１のパッケージについて、長尺物の山と山を繋ぎ、パッケージを圧縮した状態を示す等角投影略図であって、可撓梱包部材については図示の便宜上省略している。
【図３】圧縮前で、山と山同士の接続が一部なされている状態における図１及び図２に示すパッケージの正面図である。本図では山と山との間に隙間があるが、これは図示の便宜上のものであって、実際には存在しない。
【図４】圧縮前であって、所定位置に配置したバックの一部を図示し、更に山同士の長尺物の接続箇所が上方になるように９０度旋回した状態での図３のパッケージの側面図である。
【図５】図４に示すものと同じものを圧縮してバッグを閉じた状態を示す図である。
【図６】図５に示すものと同様の図であって、接続部分の様態の別実施例を示すものであり、輸送及び繰り出しのためにパッケージを回転させた状態を示す図である。
【図７】図２と同様のパッケージの等角投影図であって、接続部分の様態の更に別の実施例を示す図である。
【図８】更に別の接続部分の様態に関する実施例を示すパッケージの側面図である。
【図９】図８に示すパッケージの端面図であって、圧縮を解除し、長尺物の一部を繰り出した状態を示す図である。
【図１０】図９のパッケージの側面図であって、長尺物と、それを次々に切断してシート状にする様子とを詳細に描いた図である。
【図１１】本発明に係るパッケージの等角投影図であって、圧縮を解除した後に長尺物を一部繰り出した様子を示しており、図示の便宜上、バッグは省略してある。
【符号の説明】
【００８２】
１０  パッケージ
１１  長尺物
１８  パッケージの第一端面
１９  パッケージの第二端面
２０・２１・２２・２３  （長尺物の）山
２５  第一端面に配置する長尺物の第一の折り目
２６  第二端面に配置する長尺物の第二の折り目
２９  山の一番下の畳み部分
３０  山の一番上の畳み部分
４０  梱包部材